(57)【特許請求の範囲】
【請求項１】
使用の際、人体の左右肩上付近に配置されて下向きにシャワー水を噴出し得る２本のアームで構成され、各アームの下部および内側側面に光を照射し得る発光部が設けられ、各アームの内側上部には、上方へ向かう光を遮るしきりが設けられていることを特徴とするシャワー装置。
【請求項２】
前記しきりの面に、光を反射できる反射処理もしくは特定の色の光を反射できる選択的透過処理が施されていることを特徴とする請求項１に記載のシャワー装置。
【発明の詳細な説明】
【技術分野】
【０００１】
本発明は、効果的に皮膚に刺激を与えることのできるシャワー装置に関するものである。
【背景技術】
【０００２】
従来、特許文献１に開示されているように、シャワー空間の天井付近に円環形状のシャワーヘッドを設け、このシャワーヘッドの吐水部に、複数のＬＥＤ（発光ダイオード）ランプを設けて構成したものが存在する。
【特許文献１】特開２００３−３１９８８５号公報
【発明の開示】
【発明が解決しようとする課題】
【０００３】
上記従来のシャワーヘッドに設けられているＬＥＤは、照明装置として機能し、視覚面からのくつろぎ効果を得るためのものであり、使用者がシャワーを浴びる際に、ＬＥＤからの光が眼に入る可能性があり、特に青色のＬＥＤの光により眼を痛めてしまう可能性があるという問題点があった。
【課題を解決するための手段】
【０００４】
本発明は上記従来の問題点に鑑み案出したものであって、光を眼に入れずに皮膚のみに照射できるシャワー装置を提供せんとするものであり、その請求項１は、使用の際、人体の左右肩上付近に配置されて下向きにシャワー水を噴出し得る２本のアームで構成され、各アームの下部および内側側面に光を照射し得る発光部が設けられ、各アームの内側上部には、上方へ向かう光を遮るしきりが設けられていることである。
【０００５】
また、請求項２は、前記しきりの面に、光を反射できる反射処理もしくは特定の色の光を反射できる選択的透過処理が施されていることである。
【発明の効果】
【０００６】
本発明は、使用の際、人体の左右肩上付近に配置されて下向きにシャワー水を噴出し得る２本のアームで構成され、各アームの下部および内側側面に光を照射し得る発光部が設けられ、各アームの内側上部には、上方へ向かう光を遮るしきりが設けられていることにより、シャワーを浴びながら、左右２本のアームのそれぞれの下部および内側側面に設けた発光部からの光を肩から下の全身に照射することができ、シャワーと光の刺激を同時に全身に受けることができ、広い面積で皮膚を刺激することができるものとなる。なお、皮膚の知覚神経を刺激すると、すべての組織でインスリン様成長因子−Ｉ（ＩＧＦ−Ｉ）が作られて、これが血液にのって全身に回り人体の健康増進作用が高まることが知られており、皮膚を刺激して良好に健康増進作用を高めることができる効果を有する。
また、内側側面に設けた発光部からの光は、しきりで遮られて上方へは照射されないために、眼に光が入ることがなく、良好に眼を保護することができるものとなる。
【０００７】
また、前記しきりの面に、光を反射できる反射処理もしくは特定の色の光を反射できる選択的透過処理が施されていることにより、特定の例えば青色の光を反射させ、その他の光は透過できるようにしきりを構成して、特に有効な青色の光を全身に照射することができ、青色の光による皮膚の刺激でインスリン様成長因子−Ｉ（ＩＧＦ−Ｉ）を発生させ、人体の健康増進作用を向上させることができるものとなる。
【実施例】
【０００８】
以下、本発明の実施例を図面に基づいて説明する。
図１は、シャワー装置の使用状態の側面構成図であり、シャワー装置１は、浴室あるいはシャワールームの壁面Ｗに軸部２が固設され、この軸部２を介して上下方向に回動可能にアーム３が設けられ、アーム３の下面３ａには、シャワー水Ｐを下向きに噴出できる複数のノズルが設けられている。
【０００９】
また、このアーム３の一部を図２に拡大斜視図で示すが、アーム３の下面３ａには、図示しないノズルとともに複数の発光部４が間隔をおいて下向きに設けられており、各発光部４から下向きに光を照射できるように構成されている。
発光部４は、青色光（４２０ｎｍ〜５２０ｎｍ）を含む光、好ましくは、青色光（４２０ｎｍ〜５２０ｎｍ）を含みかつ赤色光を含まない可視光を発生することのできる光源で構成されている。
【００１０】
このような構成においては、シャワー装置１は、軸部２を介してアーム３を人体５の肩上、即ち首５ｂの横あたりに配置して使用されるものであり、アーム３の下面３ａからシャワー水Ｐとともに発光部４からの光が肩から下の全身に照射されて、シャワー水Ｐによる刺激と発光部４から照射される光による刺激を同時に全身に受けることができるものとなる。
【００１１】
このようにして肩から下の皮膚が刺激されることにより、すべての組織でインスリン様成長因子−Ｉ（ＩＧＦ−Ｉ）が作られて、これが血液にのって全身に回り、人体の健康増進作用を高めることができるものとなる。
なお、シャワー装置１に気泡発生部を接続して、アーム３の下面３ａの複数のノズルから、下向きに微細気泡（マイクロバブル）を含むシャワー水Ｐを噴出できるように構成することもでき、この場合は、マイクロバブルの温浴効果により、更に良好に健康増進作用が高められるものとなる。
【００１２】
なお、シャワー装置１は、図３に示すように、それぞれ軸部２，２で上下方向に回動可能な右アーム３１と左アーム３２を備えて、それぞれのアーム３１，３２を左右の肩上付近に配置させて使用することができるような構造が好ましく、このように左右２本のアーム３１，３２を備えたシャワー装置１においては、各アーム３１，３２の内側側面にも発光部４が設けられるものであり、例えば右アーム３１の一部を図４に拡大斜視図で示すように、右アーム３１の下面３ａおよび内側側面３ｂには、それぞれ間隔をおいて複数の発光部４が設けられており、この発光部４から下向きおよび側面向きに光が照射されるものである。
【００１３】
また、右アーム３１および左アーム３２の内側上部には、庇状のしきり６が内側へ下傾状に突出されており、しきり６により、光を良好に遮ることができ、光が上方の人体の眼５ｄに入らないようにすることができるものである。
なお、しきり６の下面には、反射処理もしくは選択的透過処理を施しておくことができ、例えば青色光を反射するフイルムをしきり６の下面に貼着させておき、青色光のみを反射させて他の色の光は透過できるように構成しておくことができ、青色光のみを肩５ｃから下の全身の皮膚に有効に照射させることができ、青色の光は、しきり６から上方へは照射されないため、眼５ｄを良好に保護することができるものとなる。
【００１４】
なお、図５は、皮膚の知覚神経を刺激することで放出され、健康増進作用を有するインスリン様成長因子−Ｉ（ＩＧＦ−Ｉ）の産出を促すカルシトニン遺伝子関連ペプチド（ＣＧＲＰ）（単位はｐｇ／ｍｌ）の放出濃度を測定した結果を示すものである。
マウスの脊髄後根神経節細胞を５日間培養後、１０分間各色の光を照射し、培養上清中に放出されたカルシトニン遺伝子関連ペプチド（ＣＧＲＰ）の濃度を測定した。
図中、左側のＮｏは光を照射しなかった場合であり、図中Ｂｌｕｅは青色ＬＥＤからの青色光（４２０〜５２０ｎｍ）を照射した場合であり、図中Ｒｅｄは赤色ＬＥＤからの赤色光（５７０〜６７０ｎｍ）を照射した場合であり、図中Ｇｒｅｅｎは緑色ＬＥＤからの緑色光（４７５〜５７５ｎｍ）を照射した場合である。
また、図中ｎ＝５は、サンプル数が５であることを示している。
測定結果は、光を照射しなかった場合は１３０ｐｇ／ｍｌ、青色光の場合は１７０ｐｇ／ｍｌ、赤色光の場合は８０ｐｇ／ｍｌ、緑色光の場合は１３０ｐｇ／ｍｌのＣＧＲＰの放出濃度が測定され、この結果、光を照射しなかった場合と比較して、ＣＧＲＰ放出濃度は、青色光では増加し、赤色光では減少し、緑色光では変化なしであった。
以上の結果によりＩＧＦ−Ｉを増加させるためには青色光が最も適していることが確認された。青色光によるカルシトニン遺伝子関連ペプチド（ＣＧＲＰ）放出の増加は、青色光による水の機能もしくは構造変化が重要に寄与すると思料される。
【００１５】
なお、更に図６に示すような実験装置を使用して実験を行った。
即ち、図６の装置では、水槽１６に循環路１７が接続されており、循環路１７内には吸い込みポンプ１８と微細気泡を発生させる微細気泡発生装置１９を設けておく。浴槽１６内には、板２１を立てて、この板２１にケージ２２を取り付け、ケージ２２内にマウスＭを入れて、水槽１６内にマウスＭの頭部を除く体が浸かる程度に水Ｗを入れる。また、水槽１６の外側に、水Ｗの水面よりも下方位置に青色光を発する青色ＬＥＤ２０を設けて、青色ＬＥＤ２０からの光がマウスＭに当たるように設定した。このような装置において、五匹のマウスＭを使用して実験を行い、図７の結果が得られた。
【００１６】
なお、微細気泡発生装置１９で発生されて浴槽１６内に噴出される微細気泡Ｂは、直径１００マイクロメートル以下のマイクロバブルである。また、浴槽１６内の水Ｗは４０℃に設定したものであり、マウスＭを４０℃の水Ｗに５分間浸漬させた場合のインスリン様成長因子−Ｉ（ＩＧＦ−Ｉ）の濃度を測定した結果を、白抜きのＣｏｎｔｒｏｌで示す。
また、マイクロバブルＭＢのみを５分間マウスＭに作用させた場合のインスリン様成長因子−Ｉ（ＩＧＦ−Ｉ）の濃度を測定した結果を、複数の点を入れた部分で示す。
また、マイクロバブルＭＢと青色光を同時にマウスＭに５分間作用させた場合のインスリン様成長因子−Ｉ（ＩＧＦ−Ｉ）の濃度を測定した結果を、黒色の部分で示す。
図７に示すように、マウスの心臓，肺，肝臓，腎臓，胃，空腸，脳，脊髄，皮膚，血漿の各部位において測定を行ったが、この結果、マイクロバブルＭＢのみをマウスＭに作用させた場合でもＩＧＦ−１は増加するが、マイクロバブルＭＢと青色光を併用させるとＩＧＦ−１の増加が各部位とも一層促進されていることが確認された。
この結果、マイクロバブルＭＢと青色光との併用は、健康促進作用を効率良く増加させることのできる方法として有効であると言える。
【図面の簡単な説明】
【００１７】
【図１】シャワー装置の使用状態の側面構成図である。
【図２】図１のアームの一部の拡大斜視図である。
【図３】２本のアームで構成されるシャワー装置の使用状態の斜視構成図である。
【図４】図３のシャワー装置の右アームの一部の拡大斜視構成図である。
【図５】皮膚の知覚神経を刺激することで放出され、健康増進物質であるインシュリン様成長因子（ＩＧＦ−Ｉ）の産出を促すカルシトニン遺伝子関連ペプチド（ＣＧＲＰ）の放出濃度を測定した結果を示すデータ図である。
【図６】実験装置の概略構成図である。
【図７】図６の装置を用いて実験し、インシュリン様成長因子（ＩＧＦ−Ｉ）濃度を測定した結果を示すデータ図である。
【符号の説明】
【００１８】
１  シャワー装置
２  軸部
３，３１，３２  アーム
３ａ  下面
３ｂ  内側側面
４  発光部
５  人体
５ｂ  首
５ｃ  肩
５ｄ  眼
６  しきり
【図１】
0005084435.tif 000002
【図２】
0005084435.tif 000003
【図３】
0005084435.tif 000004
【図４】
0005084435.tif 000005
【図５】
0005084435.tif 000006
【図６】
0005084435.tif 000007
【図７】
0005084435.tif 000008